(57)【要約】【課題】再利用が可能でリサイクル性に優れた掲示板を安価に提供する。【解決方法】掲示板１１は、表面に形成したカラーアルミ塗膜面６に多数の四角形枠１２と、各四角形枠１２に対応する枠番号１３及び選挙を特定する見出しや注意事項１４等をシルクスクリーン印刷した台板本体５に、透明で剥離可能な樹脂フィルム４を貼付したから、各四角形枠に対応して樹脂フィルム４上に掲示した選挙用ポスターを剥がす場合は、該樹脂フィルム４を台板本体５から剥がし取るだけでよく、台板本体５のカラーアルミ塗膜面６が損傷することもない。また、裏面が補強枠３で補強されているから、台板２の再利用が可能で耐久性及びリサイクル性に優れた選挙ポスター用の掲示板１１を安価に提供できる。選挙を特定する見出し１４や注意事項等を、樹脂フィルム４に印刷してもよい。【選択図】        図３
2004163595.tif 000002
【特許請求の範囲】
【請求項１】
台板の表面にカラーアルミ塗膜面を形成して、所定の文字、図形をシルクスクリーン印刷し、該カラーアルミ塗膜面に透明で剥離可能な樹脂フィルムを貼付するとともに、該台板の裏面に補強枠を取り付けたことを特徴とする掲示板。
【請求項２】
台板の表面にカラーアルミ塗膜面を形成して、多数の四角形枠と、各四角形枠に対応する枠番号をシルクスクリーン印刷し、該カラーアルミ塗膜面に透明で剥離可能な樹脂フィルムを貼付するとともに、該台板の裏面に補強枠を取り付けたことを特徴とする掲示板。
【請求項３】
前記台板の四角形枠がシルクスクリーン印刷されていない部分に対応する前記樹脂フィルムの部分に所定の文字、図形を印刷して貼付したことを特徴とする請求項２に記載の掲示板。
【発明の詳細な説明】
【０００１】
【産業上の利用分野】
本発明は、掲示板に関するものである。
【０００２】
【従来技術】
従来の選挙立候補者のポスター（以下選挙用ポスターという）を掲示する掲示板は、特開平５−７２９８５号公報に示されるように、不透明度及び白色度に優れた耐水性樹脂フィルムに予め枠組と掲示番号をオフセットインキで同時印刷し、接着剤で合板に貼り合わせたものである。
【０００３】
【発明が解決しようとする課題】
しかしながら、上記した従来の掲示板において、選挙用ポスターを剥がす場合、枠組と掲示番号が印刷された耐水性樹脂フィルムが損傷したり、合板の表面までも損傷したりして掲示板の再利用が不可能となる場合がありリサイクル性に問題があった。また、耐水性樹脂フィルムが損傷した場合には、再度耐水性樹脂フィルムを貼付すればよいが、不透明度及び白色度に優れた耐水性樹脂フィルムは高価であるとともに、再貼付の手間などのコストがかかる。
本発明は上記に鑑みなされたもので、再利用が可能でリサイクル性に優れた掲示板を安価に提供することを目的とする。
【０００４】
【課題を解決するための手段】
上記目的を達成するための請求項１に記載の掲示板は、台板の表面にカラーアルミ塗膜を形成して、所定の文字、図形をシルクスクリーン印刷し、該カラーアルミ塗膜面に透明で剥離可能な樹脂フィルムを貼付するとともに、該台板の裏面に補強枠を取り付けたことを特徴とする。
【０００５】
また、請求項２に記載の掲示板は、台板の表面にカラーアルミ塗膜を形成して、多数の四角形枠と、各四角形枠に対応する枠番号をシルクスクリーン印刷し、該カラーアルミ塗膜面に透明で剥離可能な樹脂フィルムを貼付するとともに、該台板の裏面に補強枠を取り付けたことを特徴とする。
【０００６】
請求項３に記載の掲示板は、請求項１に記載の構成において、前記台板の四角形枠がシルクスクリーン印刷されていない部分に対応する前記樹脂フィルムの部分に所定の文字、図形を印刷して貼付したことを特徴とする。
【０００７】
【発明の作用及び効果】
請求項１に記載の掲示板によれば、表面に形成したカラーアルミ塗膜面に所定の文字、図形をシルクスクリーン印刷した台板に、透明で剥離可能な樹脂フィルムを貼付したから、所定の文字、図形に沿って樹脂フィルムの表面にメモや予定を記載したり、連絡文を記載した紙片を貼付できる。表面に形成したカラーアルミ塗膜面に所定の文字、図形をシルクスクリーン印刷した台板に、樹脂フィルムを貼付し直すだけで継続使用できるとともに、裏面が補強枠で補強されているから、耐久性に優れた掲示板を安価に提供することができる。
【０００８】
請求項２に記載の掲示板によれば、表面に形成したカラーアルミ塗膜面に多数の四角形枠と、各四角形枠に対応する枠番号をシルクスクリーン印刷した台板に、透明で剥離可能な樹脂フィルムを貼付したから、各四角形枠に対応して樹脂フィルム上に掲示した選挙用ポスターを剥がす場合は、該樹脂フィルムを台板から剥がし取るだけでよく、台板のカラーアルミ塗膜面が損傷することもないとともに、裏面が補強枠で補強されているから、台板の再利用が可能で耐久性及びリサイクル性に優れた選挙ポスター用の掲示板を安価に提供できる。
【０００９】
請求項３に記載の掲示板は、台板の四角形枠がシルクスクリーン印刷されていない部分に対応する樹脂フィルムの部分に所定の文字、図形を印刷して貼付したから、選挙を特定する見出し等を樹脂フィルムに印刷することにより、該見出し等を台板に印刷する必要がないから台板の汎用性が増し、選挙ポスター用の掲示板としての再利用性がより高まる。
【００１０】
【発明の実施形態】
（第１実施形態）
本発明の第１実施形態について添付図面を参照して説明する。図１は第１実施形態に係る掲示板１の一部切欠正面図である。掲示板１は、台板２、補強枠３及び透明で剥離可能な樹脂フィルム４とから構成される。台板２は、鉄やアルミ等の金属製板材、ポリエチレンやアクリルライト等の合成樹脂製板材、ガラス板等からなる厚さ２〜１０ｍｍ程度の台板本体５と、該台板本体５の表面に形成した膜厚１５〜２０ミクロン程度の白色のカラーアルミ塗膜面６と、該カラーアルミ塗膜面６に所定の文字や図形等をシルクスクリーン印刷したものである。
【００１１】
カラーアルミ塗膜面６は、接着性、耐衝撃変形性、耐薬品性に優れていて、経年使用により剥離したり変色したりすることがない。また、カラーアルミ塗膜面６には、図２（ａ）に示すように１〜３１の数字７と各数字に対応させて記載枠８を印刷して月単位の予定表としたり、図２（ｂ）に示すように掲示枠９や連絡文記載枠１０等を印刷して、案内ビラやメモを掲示したり、連絡や伝言を記載できるようにする。
【００１２】
補強枠３は、台板本体５が歪んだり反ったりしてしまわないように、鉄材、アルミ押出し材、木材等を枠形に組んで、該台板本体５の裏面に取り付けて補強する。透明で剥離可能な樹脂フィルム４は、再剥離フィルム、リタックシート若しくはアプリケーションシートと称せられるもので、粘着性、耐熱性、耐水性、耐光性、耐候性等に優れるとともに、鉄やアルミ等の金属製板材、ポリエチレンやアクリルライト等の合成樹脂製板材、ガラス等対する接着性に優れている。
【００１３】
上記構成の掲示板１は、表面に形成したカラーアルミ塗膜面６に所定の文字、図形をシルクスクリーン印刷した台板本体５に、透明で剥離可能な樹脂フィルム４を貼付したものであるから、所定の文字、図形に沿って樹脂フィルム４の表面にメモや予定を記載したり、連絡文を記載した紙片を貼付できる。カラーアルミ塗膜面６に所定の文字、図形をシルクスクリーン印刷した台板本体５に、樹脂フィルム４を貼付し直すだけで台板２を継続使用できるとともに、裏面が補強枠３で補強されているから、耐久性に優れた掲示板１を安価に提供することができる。
【００１４】
（第２実施形態）
第２実施形態は、立候補者の選挙ポスターを掲示する選挙ポスター用の掲示板１１に関するもので、カラーアルミ塗膜面６に印刷する内容が第１実施形態の掲示板１と相違するのみである。従って、第１実施形態の掲示板１と同一構成部分には、同一符号を付して詳細な説明を省略する。図３に示すようにカラーアルミ塗膜面６には、多数の四角形枠１２と、各四角形枠１２に対応する枠番号１３及び選挙を特定する見出し１４や注意事項等がシルクスクリーン印刷されている。
【００１５】
上記構成の掲示板１１は、表面に形成したカラーアルミ塗膜面６に多数の四角形枠１２と、各四角形枠１２に対応する枠番号１３及び選挙を特定する見出しや注意事項１４等をシルクスクリーン印刷した台板本体５に、透明で剥離可能な樹脂フィルム４を貼付したから、各四角形枠に対応して樹脂フィルム４上に掲示した選挙用ポスターを剥がす場合は、該樹脂フィルム４を台板本体５から剥がし取るだけでよく、台板本体５のカラーアルミ塗膜面６が損傷することもない。また、裏面が補強枠３で補強されているから、台板２の再利用が可能で耐久性及びリサイクル性に優れた選挙ポスター用の掲示板１１を安価に提供できる。
【００１６】
また、図４に示すように選挙を特定する見出し１４や注意事項等を、上記台板本体５のカラーアルミ塗膜面６にシルクスクリーン印刷しないで、該カラーアルミ塗膜面６に貼付する樹脂フィルム４の対応する部分に印刷してもよい。これにより、台板本体５のカラーアルミ塗膜面６には、多数の四角形枠１２と、各四角形枠１２に対応する枠番号１３のみを印刷すればよいから、台板２の汎用性が増し選挙ポスター用の掲示板１１としての再利用性がより高まる。
尚、カラーアルミ塗膜面６は、白色のみならず任意の色彩で形成することが出来る。
【図面の簡単な説明】
【図１】第１実施形態に係る掲示板の一部切欠正面図である。
【図２】シルクスクリーン印刷の態様を例示した説明図である。
【図３】第２実施形態に係る掲示板の一部切欠正面図である。
【図４】第２実施形態に係る掲示板の変形例の一部切欠正面図である。
【符号の説明】
１，１１．．．掲示板
２．．．台板
３．．．補強枠
４．．．樹脂フィルム
５．．．台板本体
６．．．カラーアルミ塗膜面
７．．．数字
８．．．記載枠
９．．．掲示枠
１０．．．連絡文記載枠
１２．．．四角形枠
１３．．．枠番号
１４．．．見出し
【図１】
2004163595.tif 000003
【図２】
2004163595.tif 000004
【図３】
2004163595.tif 000005
【図４】
2004163595.tif 000006